(57)【要約】【課題】光書込型表示体を有する表示媒体において、作用を及ぼす光書込型表示体と処理実行手段の同一性をより確実ならしめる。【解決手段】表示媒体１０は、光書込型表示体１５を駆動するための駆動電圧信号と、通信部１６に供給する通信信号とを、１対の電極１１ａ及び１１ｃにより取得する。駆動電圧信号は、通信信号よりも周波数が低い。コンデンサ１２ａ、１２ｃ及びトランス１３は、あるカットオフ周波数以上の信号を通信部１６に供給し、当該カットオフ周波数未満の信号を光書込型表示体１５に供給する。よって、コンデンサ１２ａ及び１２ｃのカットオフ周波数を適当に設定すれば、駆動電圧信号が光書込型表示体１５に供給され、通信信号が通信部１６に供給される。駆動電圧信号と通信信号とが１対の電極１１ａ及び１１ｃに供給されることにより、例えば、通信信号を通信部１６と異なる処理実行手段（偽装用のＩＣタグ等）に供給することを困難にする。【選択図】図１
2010072565.tif 000002
【特許請求の範囲】
【請求項１】
駆動電圧信号及び通信信号を供給する供給装置と電気的に接続する１対の電極と、
前記電極に供給された駆動電圧信号を第１の信号路に供給し、前記電極に供給された通信信号を前記第１の信号路と異なる第２の信号路に供給する供給手段と、
前記供給手段により前記第１の信号路に駆動電圧信号が供給され、照射装置により光が照射された場合に、当該照射された光に応じた表示を行う光書込型表示体と、
前記供給手段により前記第２の信号路に供給された通信信号に応じた処理を実行する処理実行手段と
を備えることを特徴とする表示媒体。
【請求項２】
前記供給装置は、前記駆動電圧信号と前記通信信号とを重畳した重畳信号を供給し、
前記供給手段は、
前記電極に供給された重畳信号を前記駆動電圧信号と前記通信信号とに分離する分離手段を備える
ことを特徴とする請求項１に記載の表示媒体。
【請求項３】
前記処理実行手段は、
前記供給手段により供給された通信信号を整流して電力を抽出する電力抽出部を備え、
前記電力抽出部により抽出された電力を用いて動作する
ことを特徴とする請求項１又は２に記載の表示媒体。
【請求項４】
前記分離手段は、
一端が前記１対の電極のいずれかに電気的に接続された１対のコンデンサと、
前記１対のコンデンサの他端に電気的に接続された薄膜トランスとを備える
ことを特徴とする請求項２又は３に記載の表示媒体。
【請求項５】
照射された光に応じた表示を行う光書込型表示体を備える表示媒体の１対の電極に、駆動電圧信号と通信信号とを供給する供給手段と、
前記供給手段が重畳信号を供給するタイミングに応じて前記光書込型表示体に光を照射する照射手段と
を備えることを特徴とする記録装置。
【請求項６】
駆動電圧信号及び通信信号を供給する供給装置と電気的に接続する１対の電極と、
前記電極に供給された駆動電圧信号を第１の信号路に供給し、前記電極に供給された通信信号を前記第１の信号路と異なる第２の信号路に供給する供給手段と、
前記供給手段により前記第１の信号路に駆動電圧信号が供給され、照射装置により光が照射された場合に、当該照射された光に応じた表示を行う光書込型表示体と、
前記供給手段により前記第２の信号路に供給された通信信号に応じた処理を実行する処理実行手段と
を有する表示媒体と、
前記表示媒体の前記電極に駆動電圧信号と通信信号とを供給する供給手段と、
前記供給手段が重畳信号を供給するタイミングに応じて前記光書込型表示体に光を照射する照射手段と
を有する記録装置と
を備えることを特徴とする記録システム。
【発明の詳細な説明】
【技術分野】
【０００１】
本発明は、表示媒体、記録装置及び表示システムに関する。
【背景技術】
【０００２】
光書込型の表示体を有する表示媒体が知られている。ここにおいて、光書込型の表示体とは、照射された光に応じた表示を行う表示素子を有する表示体をいい、以下ではこれを「光書込型表示体」という。また、光書込型表示体を有する表示媒体において、軽量化や薄型化を実現するために、表示に係るデータや電圧を外部から供給するものが知られている（例えば、特許文献１及び２参照）。さらに、光書込型表示体を有する表示媒体において、接触式の処理実行手段（ＩＣタグ等）を設けるものも知られている。
【特許文献１】特開２００７−３２３３６５号公報
【特許文献２】特開２００８−３６３１号公報
【発明の開示】
【発明が解決しようとする課題】
【０００３】
本発明の目的は、光書込型表示体を有する表示媒体において、表示媒体が接触式の処理実行手段に供給される通信信号と光書込型表示体に供給される駆動電圧信号とを別異の電極から取得する場合に比べ、駆動電圧信号及び通信信号を供給する供給装置が、表示媒体が備える光書込型表示体と処理実行手段の双方に作用を及ぼすことをより確実ならしめることにある。
【課題を解決するための手段】
【０００４】
本発明の請求項１に係る表示媒体は、駆動電圧信号及び通信信号を供給する供給装置と電気的に接続する１対の電極と、前記電極に供給された駆動電圧信号を第１の信号路に供給し、前記電極に供給された通信信号を前記第１の信号路と異なる第２の信号路に供給する供給手段と、前記供給手段により前記第１の信号路に駆動電圧信号が供給され、照射装置により光が照射された場合に、当該照射された光に応じた表示を行う光書込型表示体と、前記供給手段により前記第２の信号路に供給された通信信号に応じた処理を実行する処理実行手段とを備える構成を有する。
【０００５】
本発明の請求項２に係る表示媒体は、請求項１の構成において、前記供給装置は、前記駆動電圧信号と前記通信信号とを重畳した重畳信号を供給し、前記供給手段は、前記電極に供給された重畳信号を前記駆動電圧信号と前記通信信号とに分離する分離手段を備える構成を有する。
本発明の請求項３に係る表示媒体は、請求項１又は２の構成において、前記処理実行手段が、前記供給手段により供給された通信信号を整流して電力を抽出する電力抽出部を備え、前記電力抽出部により抽出された電力を用いて動作する備える構成を有する。
本発明の請求項４に係る表示媒体は、請求項２又は３の構成において、前記分離手段が、一端が前記１対の電極のいずれかに電気的に接続された１対のコンデンサと、前記１対のコンデンサの他端に電気的に接続された薄膜トランスとを備える構成を有する。
【０００６】
本発明の請求項５に係る記録装置は、照射された光に応じた表示を行う光書込型表示体を備える表示媒体の１対の電極に、駆動電圧信号と通信信号とを供給する供給手段と、前記供給手段が重畳信号を供給するタイミングに応じて前記光書込型表示体に光を照射する照射手段とを備える構成を有する。
【０００７】
本発明の請求項５に係る記録システムは、駆動電圧信号及び通信信号を供給する供給装置と電気的に接続する１対の電極と、前記電極に供給された駆動電圧信号を第１の信号路に供給し、前記電極に供給された通信信号を前記第１の信号路と異なる第２の信号路に供給する供給手段と、前記供給手段により前記第１の信号路に駆動電圧信号が供給され、照射装置により光が照射された場合に、当該照射された光に応じた表示を行う光書込型表示体と、前記供給手段により前記第２の信号路に供給された通信信号に応じた処理を実行する処理実行手段とを有する表示媒体と、前記表示媒体の前記電極に駆動電圧信号と通信信号とを供給する供給手段と、前記供給手段が重畳信号を供給するタイミングに応じて前記光書込型表示体に光を照射する照射手段とを有する記録装置とを備える構成を有する。
【発明の効果】
【０００８】
本発明の請求項１及び６の構成によれば、表示媒体が接触式の処理実行手段に供給される通信信号と光書込型表示体に供給される駆動電圧信号とを別異の電極から取得する場合に比べ、駆動電圧信号及び通信信号を供給する供給装置が、表示媒体が備える光書込型表示体と処理実行手段の双方に作用を及ぼすことをより確実ならしめることができる。
本発明の請求項２の構成によれば、駆動電圧信号と通信信号とが同時に供給されても、必要な信号を光書込型表示体及び処理実行手段に供給することができる。
本発明の請求項３の構成によれば、表示媒体に電力の供給源（電池等）を設けないでも、動作に必要な電力を得ることができる。
本発明の請求項４の構成によれば、同構成を有しない場合に比べ、表示媒体をより容易に曲げたり撓めたりすることができる。
本発明の請求項５の構成によれば、駆動電圧信号と通信信号とを共通の電極に供給し、本発明に係る表示媒体を動作させることができる。
【発明を実施するための最良の形態】
【０００９】
［実施形態］
図１は、本発明の一実施形態である表示媒体１０の構成を示す図である。同図に示すように、この表示媒体１０は、陽極１１ａと、陰極１１ｃと、コンデンサ１２ａ及び１２ｃと、トランス１３と、バリスタ１４と、光書込型表示体１５と、通信部１６とを備える。なお、同図において、上述した各部を結ぶ実線は、一方と他方とを電気的に接続する信号路を表す。以下においては、電気的に接続することを「導通」ともいう。
【００１０】
本実施形態の表示媒体１０は、シート状の外観を有し、曲げや撓みに耐え得る程度の弾性を有する。表示媒体１０の厚さは、例えば、数ｍｍ程度である。本実施形態の表示媒体１０は、光書込型表示体１５が設けられている領域と、光書込型表示体１５が設けられていない領域とを表面に有する。光書込型表示体１５が設けられていない領域には、陽極１１ａ、陰極１１ｃ、トランス１３、通信部１６などが設けられている。
【００１１】
陽極１１ａ及び陰極１１ｃは、１対の電極を構成し、後述する記録装置２０と導通する。なお、本実施形態の陽極１１ａ及び陰極１１ｃは、表示媒体１０の表面に形成された接点であるとするが、例えば、表示媒体１０から引き出された導線の端部に設けられた端子であってもよい。以下において、陽極１１ａ及び陰極１１ｃを総称する場合には、これらを単に「電極」という。
【００１２】
コンデンサ１２ａ、１２ｃ及びトランス１３は、本発明における供給手段の一例である。コンデンサ１２ａ及び１２ｃは、あらかじめ決められたカットオフ周波数を境にして、光書込型表示体１５側に供給される信号と通信部１６側に供給される信号とを分離するものである。すなわち、コンデンサ１２ａ及び１２ｃは、カットオフ周波数より周波数が高い信号をトランス１３に通すハイパスフィルタの機能を有する。なお、コンデンサ１２ａ及び１２ｃのカットオフ周波数は、例えば、１ｋＨｚ以上３ｋＨｚ以下である。光書込型表示体１５には、このカットオフ周波数以下の周波数の信号が供給され、通信部１６には、このカットオフ周波数を超える周波数の信号が供給される。以下では、これらの信号を区別するために、前者を「第１の信号」といい、後者を「第２の信号」という。つまり、第１の信号が周波数の比較的低い信号であり、第２の信号が周波数の比較的高い信号である。なお、第１の信号は、交流又は直流のいずれであってもよく、交流及び直流が重畳されたものであってもよい。
【００１３】
トランス１３は、コンデンサ１２ａ及び１２ｃを通った第２の信号の電圧を通信部１６の動作に適合する電圧に変換し、これを通信部１６に供給する。トランス１３は、薄膜状のいわゆる薄膜トランスであると、望ましい。薄膜トランスは、電磁誘導式であってもよいし、圧電式であってもよい。
【００１４】
図２は、トランス１３の一例として、電磁誘導式の薄膜トランスの構成を示す図である。同図に示すトランス１３は、巻線１３１ａ、１３２ａ、１３１ｃ及び１３２ｃと、接続部１３３及び１３４とを備える。なお、同図は、それぞれの巻線の区別を容易にするため、通信部１６と導通する側の巻線（巻線１３２ａ及び１３２ｃ）を破線で示している。巻線１３１ａは、コンデンサ１２ａと導通し、巻線１３２ａは、通信部１６と導通する。また、巻線１３１ｃは、コンデンサ１２ｃと導通し、巻線１３２ｃは、通信部１６と導通する。巻線１３１ａ及び１３２ａは、図２（ａ）に示すように、絶縁された状態で平面状に形成される。また、巻線１３１ｃ及び１３２ｃも、同様に、絶縁された状態で平面状に形成される。トランス１３は、図２（ｂ）に示すように、これらの平面状の巻線１３１ａ及び１３２ａと巻線１３１ｃ及び１３２ｃとを重ね合わせた形状を有する。
【００１５】
図２（ｂ）は、平面状のトランス１３を接続部１３３及び１３４を含む断面で切断した場合を部分的に示す断面図である。同図に示すように、巻線１３１ａ及び１３２ａがなす平面と、巻線１３１ｃ及び１３２ｃがなす平面とは、絶縁体ＩＮＳを介して重なるようになされている。絶縁体ＩＮＳは、巻線が接続部１３３又は１３４と導通し、その他の部分と導通しないように挿入されているものである。接続部１３３は、巻線１３１ａと巻線１３１ｃとを導通させ、接続部１３４は、巻線１３２ａと巻線１３２ｃとを導通させる。接続部１３３及び１３４は、例えば、コンタクトホールである。
【００１６】
バリスタ１４は、通信部１６を保護するために設けられており、ある電圧（バリスタ電圧）を境にして電気抵抗が大きく変化する性質を有する素子である。バリスタ１４は、バリスタ電圧より低電圧である場合には、電気抵抗が比較的高く、バリスタ電圧より高電圧である場合には、電気抵抗が比較的低い。そのため、通信部１６に（意図せぬ）高電圧が生じた場合には、通信部１６に流れる電流が相対的に小さくなり、バリスタ１４に流れる電流が相対的に大きくなる。なお、バリスタ１４は、必須の構成要素ではなく、これを除いた構成としてもよい。
【００１７】
光書込型表示体１５は、照射された光に応じた表示を行う表示素子を有する表示体であり、ある決められた面積で平面状に形成されている。光書込型表示体１５は、電極から供給された第１の信号に応じた電位差を生じさせる。光書込型表示体１５は、照射された光に応じて、表示素子に生じる電位差が変化する。
【００１８】
図３は、光書込型表示体１５の構成を示す図である。光書込型表示体１５は、フィルム基板１５１及び１５７と、透明電極１５２及び１５６と、光導電層１５３と、着色層１５４と、表示素子層１５５とを記録領域２０ａに有する。なお、本実施形態の光書込型表示体は、モノクロ表示を行う表示体である。フィルム基板１５１及び１５７は、表示媒体２０の記録領域２０ａを保護するために設けられた層であり、例えば、ＰＥＴ（Polyethylene Terephthalate）により形成される。フィルム基板１５１は、光が照射される側の面にあり、フィルム基板１５７は、記録された情報を使用者が観察する側の面にある。なお、フィルム基板１５１又は１５７は、上述した絶縁体ＩＮＳを構成するものであってもよい。透明電極１５２及び１５６は、例えば、ＩＴＯ（Indium Tin Oxide）により形成される層であり、各々が陽極１１ａ又は陰極１１ｃの一方ずつと導通する。よって、電極に電圧が印加されると、透明電極１５２と透明電極１５６の間に電位差が生じる。光導電層１５３は、照射される光の光量に応じてその導電率を異ならせる導電体（すなわち光導電体）により形成される層である。光導電層１５３としては、例えば、有機光導電体が用いられる。
【００１９】
着色層１５４は、表示素子層１５５が光を透過する場合に観察される層であり、あらかじめ決められた色（本実施形態においては、黒）になされている。表示素子層１５５は、印加される電圧に応じて光の反射状態を異ならせる表示素子を含む層である。本実施形態の表示素子層１５５は、バインダー樹脂中にマイクロカプセル状のコレステリック液晶表示素子を分散させたものである。コレステリック液晶表示素子は、配向状態として、プレーナ配向状態とフォーカルコニック配向状態とになり得る。コレステリック液晶表示素子は、プレーナ配向状態にある場合には、光を反射（ブラッグ反射）してあらかじめ決められた色（本実施形態においては、白）を呈し、フォーカルコニック配向状態にある場合には、光を透過して着色層１５４の色を呈する。コレステリック液晶表示素子がいかなる配向状態となるかは、コレステリック液晶表示素子に生じる電位差によって決まる。コレステリック液晶表示素子に生じる電位差は、対向する光導電層１５３の導電率に応じて変化する。
【００２０】
通信部１６は、本発明の処理実行手段の一例であり、供給された第２の信号に応じた処理を実行する。本実施形態においては、通信部１６として、接点を有する（すなわち接触式の）ＩＣタグを用いる。通信部１６は、供給された第２の信号に基づき、情報の読み出しや書き込みを行い、また、必要に応じて、情報を表す信号を生成して記録装置２０に供給する。なお、本発明の処理実行手段は、情報を処理するものであれば足り、ＩＣタグに限定されない。
【００２１】
図４は、通信部１６の構成を示す図である。同図に示すように、通信部１６は、電力抽出部１６１と、パワーレギュレータ１６２と、復調器１６３と、変調器１６４と、制御回路１６５と、メモリ１６６とを備える。電力抽出部１６１は、供給された第２の信号から電力を抽出する。電力抽出部１６１としては、例えば、整流回路が用いられる。電力抽出部１６１として用いられる整流回路には、半波整流回路、全波整流回路（両波整流回路）、ブリッジ整流回路などがある。パワーレギュレータ１６２は、電力抽出部１６１により抽出された電力の供給を制御する。復調器１６３は、第２の信号に復調を行って情報を抽出する。復調器１６３が用いる復調の方式は、あらかじめ決められたものであれば、特に限定されない。変調器１６４は、通信部１６が情報を供給する場合に、情報を表す信号に変調を行う。変調器１６４が用いる変調の方式は、あらかじめ決められたものであれば、特に限定されないが、復調器１６３が用いる復調の方式に対応するものであると、望ましい。制御回路１６５は、論理回路を備え、メモリ１６６への情報の書き込み、メモリ１６６からの情報の読み出し、信号の生成などを行う。メモリ１６６は、情報をデータとして記憶する記憶手段である。本実施形態においては、データの読み出しと書き込みを行う必要があるため、メモリ１６６としてＥＥＰＲＯＭ（Electrically Erasable and Programmable Read-Only Memory）を用いる。ただし、データの書き込みを行う必要がない場合には、メモリ１６６としてＲＯＭを用いてもよい。
【００２２】
図５は、電力抽出部１６１の一例として、ブリッジ整流回路を示す図である。このブリッジ整流回路は、整流素子１６１１、１６１２、１６１３及び１６１４を備える。整流素子１６１１〜１６１４の整流方向は、図中の矢印のとおりである。整流素子１６１１〜１６１４は、例えば、ダイオードである。このブリッジ整流回路によれば、回路中のＴ１とＴ２の間に電位差が生じ、ここから電力が抽出される。
【００２３】
図６は、本発明の一実施形態である記録装置の構成を示す図である。この記録装置２０は、表示媒体１０に信号を供給する供給手段と、表示媒体１０に光を照射する照射手段を一体に構成したものである。ただし、供給手段と照射手段とは、別体に構成されてもよい。記録装置２０は、制御部２１と、照射部２２と、信号供給部２３とを備える。
【００２４】
制御部２１は、記録装置２０の動作を制御する。制御部２１は、照射部２２による光の照射タイミングや、信号供給部２３への信号の供給タイミングを制御する。なお、光の照射タイミングは、信号の供給タイミングと相関を有し、制御部２１は、あらかじめ決められたタイミングで照射部２２及び信号供給部２３に動作を行わせる。また、制御部２１は、表示媒体１０に表示される画像を表す画像データを記憶する記憶手段を備えており、この画像データに応じた強度の光を照射部２２に照射させる。なお、制御部２１が備える記憶手段は、いわゆるメモリカードのように、記録装置２０に対して着脱自在であってもよいし、赤外線通信やネットワーク通信を行う通信手段から画像データを取得し、これを記憶するものであってもよい。
【００２５】
また、制御部２１は、必要に応じて、通信データを記憶する。ここにおいて、通信データとは、表示媒体１０と通信を行うためのデータである。通信データは、例えば、表示媒体１０に記録する画像に対応付けられたデータ（画像データを識別する文字列等）であってもよいし、表示媒体１０に対応付けられたデータ（表示媒体１０を識別する文字列等）であってもよい。あるいは、通信データは、日付や時刻を表すデータ（例えば、表示媒体１０に情報を記録した日付）であってもよい。
【００２６】
照射部２２は、表示媒体１０の光書込型表示体１５に光を照射する光源を備える。照射部２２は、光書込型表示体１５の全体に光を一度に照射する面光源を備える構成であってもよいが、主走査方向に光を照射する線状又は帯状の光源を備えるとともに、これを副走査方向（主走査方向に交差する方向）に移動させる構成であってもよい。照射部２２が情報を記録する時に照射する光は、光書込型表示体１５の各位置（画素）に表示すべき階調に応じた強度になるようになされている。なお、照射部２２は、周知のとおり、情報を記録する前に、表示媒体１０に記録されていた画像を消去するための光を照射してもよい。
【００２７】
信号供給部２３は、表示媒体１０の電極と導通する接点を備え、表示媒体１０に信号を供給する。信号供給部２３が供給する信号には、表示媒体１０の光書込型表示体１５に供給される、光書込型表示体１５を駆動するための電圧に相当する信号と、表示媒体１０の通信部１６に供給される信号とが含まれる。以下においては、前者を「駆動電圧信号」といい、後者を「通信信号」という。なお、駆動電圧信号は、上述した第１の信号に相当するものであり、通信信号は、上述した第２の信号に相当するものである。よって、駆動電圧信号及び通信信号は、上述したカットオフ周波数を境にして相異なるようになされており、互いが混同されないようになっている。
【００２８】
図７は、信号供給部２３の構成を示す図である。同図に示すように、信号供給部２３は、通信信号処理部２３１と、バリスタ２３２と、トランス２３３と、コンデンサ２３４ａ及び２３４ｃと、駆動電圧信号発生部２３５と、陽極２３６ａと、陰極２３６ｃとを備える。通信信号処理部２３１は、変調器を備え、表示媒体１０に供給する情報を変調した通信信号を発生させる。通信信号処理部２３１は、表示媒体１０に供給する情報（すなわち通信データ）を制御部２１から取得する。また、通信信号処理部２３１は、表示媒体１０から情報を取得する場合には、復調器を備えるとともに、復調した情報を制御部２１に供給する。バリスタ２３２、トランス２３３、コンデンサ２３４ａ及び２３４ｃの機能は、表示媒体１０のバリスタ１４、トランス１３、コンデンサ１２ａ及び１２ｃの機能と同様である。
【００２９】
駆動電圧信号発生部２３５は、電圧発生装置を備え、駆動電圧信号を発生させる。駆動電圧信号発生部２３５は、周知のとおり、表示媒体１０の光書込型表示体１５に光を照射する時に加え、光を照射する前後にも決められた態様の駆動電圧信号を発生させ、表示媒体１０に供給する。陽極２３６ａ及び陰極２３６ｃは、表示媒体１０の電極と導通するように構成された１対の電極であり、駆動電圧信号と通信信号とを供給する。なお、駆動電圧信号と通信信号とは、独立に供給される場合と、重畳されて供給される場合とがあり得る。以下においては、駆動電圧信号と通信信号とが重畳された信号のことを「重畳信号」という。
【００３０】
本実施形態の表示媒体１０及び記録装置２０の構成は、以上のとおりである。かかる表示媒体１０及び記録装置２０は、表示媒体１０に情報を記録するための記録システムを構成する。なお、かかる記録システムにおいて、表示媒体１０は、複数あってもよい。
【００３１】
本実施形態の表示媒体１０は、記録装置２０と導通している時に、記録装置２０から駆動電圧信号及び通信信号の供給を受けて動作する。表示媒体１０は、記録装置２０と導通していない時には、光書込型表示体１５の表示状態を保持する。すなわち、表示媒体１０は、光が照射されて画像が記録された場合には、記録装置２０によって再度光と電圧の供給を受けるまでその画像を表示し続ける、いわゆる双安定性（又は記憶性）を有する。
【００３２】
また、表示媒体１０は、記録装置２０と導通した場合、駆動電圧信号を第１の信号として用い、通信信号を第２の信号として用いる。これは、駆動電圧信号及び通信信号が重畳信号として供給された場合も、そうである。重畳信号が供給された場合には、コンデンサ１２ａ、１２ｃ及びトランス１３の作用により、重畳信号のうちの低周波成分（すなわち駆動電圧信号）が光書込型表示体１５に供給され、重畳信号のうちの高周波成分（すなわち通信信号）が通信部１６に供給される。
【００３３】
以上のとおり、本実施形態の表示媒体１０は、コンデンサ１２ａ、１２ｃ及びトランス１３が信号を分離して、分離した信号のそれぞれを決められた信号路に通すため、駆動電圧信号と通信信号とが共通の電極から供給された場合であっても、駆動電圧信号は光書込型表示体１５に供給され、通信信号は通信部１６に供給されるようになっている。そのため、この表示媒体１０は、駆動電圧信号と通信信号のそれぞれに応じた２対の電極を設ける必要がない。電極を２対設けた場合、駆動電圧信号用の電極を表示媒体に接続するとともに、通信信号用の電極を表示媒体と異なる他の処理実行手段（例えば、偽装用のＩＣタグ）に接続することが、比較的容易である。これに対し、本実施形態の表示媒体１０は、電極が共通化されているため、駆動電圧信号と通信信号とを別の物に供給することが、電極が共通化されていない場合よりも容易でない。
【００３４】
なお、表示媒体に非接触式の処理実行手段を用いた場合には、表示媒体に備わる処理実行手段を破壊したり、あるいは電磁的に遮蔽したりするとともに、当該処理実行手段の近傍に他の非接触式の処理実行手段を設ければ、当該表示媒体が所望の表示を行うとともに、当該他の処理実行手段が所望の処理を実行する可能性がある。すなわち、この場合には、本来は表示媒体に備わる処理実行手段が実行すべき処理を他の処理実行手段が実行し、意図しない処理実行手段に作用を及ぼしてしまう可能性がある。一方、本実施形態の表示媒体１０によれば、単に他の処理実行手段を電極に導通させただけでは、駆動電圧信号と通信信号とを分けることができないため、当該他の処理実行手段が正常に動作しない。かといって、当該他の処理実行手段側にも供給手段に相当する構成を設ければ、表示媒体１０が正常に動作しない。
【００３５】
［変形例］
上述した実施形態は、本発明の一例である。本発明は、例えば、以下の変形例を適用可能である。なお、上述した実施形態及び以下の変形例は、必要に応じて、これらを組み合わせて適用してもよい。
【００３６】
（１）変形例１
本発明において、駆動電圧信号と通信信号とは、同時に、すなわち重畳されて供給されなくてもよい。よって、信号が供給される態様は、駆動電圧信号が供給された後に通信信号が供給されるものであってもよいし、通信信号が供給された後に駆動電圧信号が供給されるものであってもよい。また、駆動電圧信号と通信信号とが重畳されずに供給される場合には、コンデンサ１２ａ、１２ｃ及びトランス１３に代えて、駆動電圧信号が供給される場合と通信信号が供給される場合とで信号を供給する信号路を切り替える切替手段（スイッチング回路等）を設けてもよい。
【００３７】
（２）変形例２
本発明において、光書込型表示体は、モノクロ表示を行うものに限らず、カラー表示を行うものであってもよい。また、光書込型表示体は、コレステリック液晶表示素子ではなく、他の表示素子を用いたものであってもよい。
【図面の簡単な説明】
【００３８】
【図１】表示媒体の構成を示す図
【図２】薄膜トランスの構成を示す図
【図３】光書込型表示体の構成を示す図
【図４】通信部の構成を示す図
【図５】ブリッジ整流回路を示す図
【図６】記録装置の構成を示す図
【図７】信号供給部の構成を示す図
【符号の説明】
【００３９】
１０…表示媒体、１１ａ…陽極、１１ｃ…陰極、１２ａ、１２ｃ…コンデンサ、１３…トランス、１４…バリスタ、１５…光書込型表示体、１６…通信部、２０…記録装置、２１…制御部、２２…照射部、２３…信号供給部
【図１】
2010072565.tif 000003
【図２】
2010072565.tif 000004
【図３】
2010072565.tif 000005
【図４】
2010072565.tif 000006
【図５】
2010072565.tif 000007
【図６】
2010072565.tif 000008
【図７】
2010072565.tif 000009